(57)【要約】【課題】全体を通して、モータ組立て時の半田付け作業をなくすことができ、半田を使用しないモータのステータ構造を提供することである。【解決手段】モータのステータ構造１において、ステータ６に巻回したワイヤ５と電力供給する端子４を溶接で接合し、前記端子４と電力供給する基板３とを溶接で接合して成ることを特徴とする。【選択図】図１
2012210015.tif 000002
【特許請求の範囲】
【請求項１】
モータのステータ構造において、ステータに巻回したワイヤに電力供給する端子と、前記端子に電力供給する基板とを溶接で接合して成ることを特徴とするモータのステータ構造。
【請求項２】
前記端子と前記基板との接合面が、前記基板の前記ステータを実装する実装面の裏面であることを特徴とする請求項１に記載のモータのステータ構造。
【請求項３】
前記端子が、前記基板と平行になるように折り曲げられ、該平行な箇所にて前記基板と溶接で接合してなることを特徴とする請求項１または２に記載のモータのステータ構造。
【請求項４】
前記ワイヤと、前記端子とを溶接で接合して成ることを特徴とする請求項１ないし３のうちのいずれか１項に記載のモータのステータ構造。
【発明の詳細な説明】
【技術分野】
【０００１】
本発明はモータのステータ構造に関する。
【背景技術】
【０００２】
従来、ステータコアにコイルを巻回させてステータを組む場合、インシュレータの外側に植設した端子ピンにワイヤを絡げ、ステータ突極に巻回してコイルを形成する。
【０００３】
この場合、端子ピンと絡げたワイヤとを半田付けするが、接触不良や半田付けの外観不良、また半田ボール等、半田に起因する不良が発生していた。また、絡げたワイヤに不要なテンション（引っ張り）が発生し、端子ピンの曲がりやそれを矯正したためワイヤが切断するといった不良が発生していた。
【０００４】
一方、特許文献１には、インシュレータ内側に端子部を設けた構造、およびその端子部にワイヤを絡げることなく引き回し、溶接で接合するモータが開示されている。
【先行技術文献】
【特許文献】
【０００５】
【特許文献１】実開平０２−４９３７３号公報
【発明の概要】
【発明が解決しようとする課題】
【０００６】
しかしながら、特許文献１には、端子ピンと基板との接合について、リフローによる半田付けをすることを開示しており、半田不良による問題を抱えたままのものであった。
【０００７】
本発明は、上記課題に鑑みてなされたものであり、全体を通して、モータ組立て時の半田付け作業をなくすことができ、半田を使用しないモータのステータ構造を提供することを目的とする。
【課題を解決するための手段】
【０００８】
上記課題を解決するために、本発明は、モータのステータ構造において、ステータに巻回したワイヤに電力供給する端子と、前記端子に電力供給する基板とを溶接で接合して成ることを特徴とする。
【０００９】
また本発明は、前記端子と前記基板との接合面が、前記基板の前記ステータを実装する実装面の裏面であることを特徴とする。
【００１０】
また本発明は、前記端子が、前記基板と平行になるように折り曲げられ、該平行な箇所にて前記基板と溶接で接合してなることを特徴とする。
【００１１】
また本発明は、前記ワイヤと、前記端子とを溶接で接合して成ることを特徴とする。
【発明の効果】
【００１２】
本発明によれば、全体を通して、モータ組立て時の半田付け作業をなくすことができ、半田を使用しないモータのステータ構造を提供することができる。
【図面の簡単な説明】
【００１３】
【図１】本発明によるモータのステータ構造の一実施の形態を示す斜視図である。
【図２】ステータ６の分解斜視図である。
【図３】ステータ６にワイヤを巻回した状態を示すステータ組立体７であり、（ａ）は、斜視図であり、（ｂ）は、（ａ）の軸方向の脚部２ｃ側から見た平面図であり、（ｃ）は（ｂ）の方向ＩＶＢから見た側面図である。
【図４】ステータ組立体７に基板３を実装した状態を示す図であって、（ａ）は基板３の側から見た平面図であり、（ｂ）は（ａ）の方向ＶＢから見た側面図である。
【発明を実施するための形態】
【００１４】
以下、本発明の実施の形態を図面に基づいて説明する。
【００１５】
図１は、本発明によるモータのステータ構造の一実施の形態を示す斜視図である。
【００１６】
本実施の形態のステータ構造１は、ステータ６を基板３に実装し、基板３の電極３ａに端子４を接続して成る。なお、図示してはいないが、本実施の形態で説明するモータは、ステータ構造１の外周側にマグネットを構成部品として持つロータと、このロータに回転軸（シャフト）が結合したアウターロータ型のモータで説明する。
【００１７】
図２は、ステータ６の分解斜視図である。
【００１８】
ステータ６は、珪素鋼板等を積層した積層鋼板から成るステータコア６ａを絶縁材料で成形した２つのインシュレータ２ａおよび２ｂで挟んで構成される。
【００１９】
インシュレータ２ａは、内周側に端子４を植設、もしくは、端子４とインシュレータ２ａを一体で成形したものである。
【００２０】
端子４は、一端に先端部４ｂを有し、他端にワイヤ接続部４ｃを有する平板状の導電物を折り曲げ部４ａで折り曲げて形成されたものであり、この折り曲げ部４ａの側を、インシュレータ２ａの内周側に埋め込まれている。また、ワイヤ接続部４ｃは、径方向外側に向けてテーパを設けてある。
【００２１】
本実施の形態では、ステータコア６ａは、周方向に４つの突極を有するが、本発明はこの極数に限られるものではない。また、端子４を４つ設けているが、本発明はこの数に限られるものではない。
【００２２】
インシュレータ２ａは、基板３を実装する際に基板３に当接する凸部である脚部２ｃを有する。
【００２３】
図３（ａ）は、ステータ６にワイヤを巻回した状態を示すステータ組立体７の斜視図である。
【００２４】
また、図３（ｂ）は、図３（ａ）を軸方向の脚部２ｃ側から見た平面図であり、図３（ｃ）は図３（ｂ）の方向ＩＶＢから見た側面図である。
【００２５】
端子４のワイヤ接続部４ｃは、径方向外側に向けてテーパを設けてあり、ワイヤ５を引っ掛けやすくしてある。
【００２６】
ワイヤを巻回す際には、例えば従来知られた方式の巻線機にステータ６をセットし、端子４のワイヤ接続部４ｃにワイヤ５を引っ掛け、ステータコア６ａの突極にワイヤ５を巻回する（巻回部５ｂ）。所定の突極から隣接する突極に行く際には、ワイヤ５は、その突極同士の間の、端子４のワイヤ接続部４ｃを経由する（絡げ部５ａ）。ワイヤを接続する際、ステータ６を軸方向に回転させることで巻回時間を短縮することが出来る。巻回しの終了後には、４つの端子４のワイヤ接続部４ｃのそれぞれにおいて、ワイヤ接続部４ｃの両側からワイヤ接続部４ｃとワイヤ５とを抵抗溶接で接合し、ステータ組立体７は完成する。
【００２７】
図４は、ステータ組立体７に基板３を実装した状態を示す図であって、（ａ）は基板３の側から見た平面図であり、（ｂ）は（ａ）の方向ＶＢから見た側面図である。
【００２８】
ステータ組立体７を治具（図示せず）にセットし基板３を実装する。
【００２９】
基板３は、ステータ組立体７の端子４の位置に対応して貫通孔が設けられており、この貫通孔に端子４の先端部４ｂを挿入する。
【００３０】
その後、先端部４ｂが基板３と平行になるように端子４を折り曲げる。この折り曲げた先端部４ｂと接する基板３の面には、ワイヤ５に電力供給する電極３ａをあらかじめ設けている。基板３の電極３ａと端子４の先端部４ｂとは、プロジェクション溶接で接合する。
【００３１】
本発明によればインシュレータ２ａの内側に、ワイヤ５を引っ掛ける端子４（ワイヤ接続部４ｃ）を設けることによって、巻線動作がスムーズになる。
【００３２】
また、本発明によれば、従来の絡げ動作は必要なくなり、巻線機でステータ６を回転させる際にワイヤ５はワイヤ接続部４ｃに引っ掛けるだけの動作でよいため、巻回しに掛かる時間の短縮につながる。
【００３３】
また、本発明によれば、巻線時に巻線機自身を回転させることで、巻線時間の短縮につながる。
【００３４】
以上、本発明は、この説明に限定されるものではなく、本発明の趣旨を逸脱しない範囲で数々の変形および組み合わせが出来ることは勿論である。
【符号の説明】
【００３５】
１  ステータ構造
２ａ、２ｂ  インシュレータ
２ｃ  脚部
３  基板
３ａ  電極
４  端子
４ａ  折り曲げ部
４ｂ  先端部
４ｃ  ワイヤ接続部
５  ワイヤ
５ａ  絡げ部
５ｂ  巻回部
６  ステータ
６ａ  ステータコア
７  ステータ組立体 
【図１】
2012210015.tif 000003
【図２】
2012210015.tif 000004
【図３】
2012210015.tif 000005
【図４】
2012210015.tif 000006